【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
所定の設定項目の設定値を設定することのできる印刷設定画面を表示するためのアプリケーションであって、
前記アプリケーションは情報処理装置にインストールされ、実行されることによって、
前記所定の設定項目の設定値と対応づけて画像形成装置に登録された識別子であって、前記画像形成装置から前記情報処理装置が取得した前記識別子を選択可能に表示手段に表示し、
表示した前記識別子を選択するユーザ操作を受けつけ、
選択された前記識別子と対応づけて前記画像形成装置に登録された設定値に従った処理を前記画像形成装置に実行させるための設定を行うことを特徴とするアプリケーション。
【請求項２】
前記識別子は、前記印刷設定画面で設定することの出来ない他の設定項目の設定値とも対応づけて前記画像形成装置に登録され、
前記ユーザ操作により選択された前記識別子と対応づけて前記画像形成装置に登録された前記他の設定項目の設定値に従った処理を前記画像形成装置に実行させるための設定を行うことを特徴とする請求項１に記載のアプリケーション。
【請求項３】
前記印刷設定画面は、前記識別子の選択を行うことができる画面であることを特徴とする請求項１または２に記載のアプリケーション。
【請求項４】
前記識別子は、前記画像形成装置に登録した前記所定の設定項目の設定値を設定するためにユーザが登録した名称であることを特徴とする請求項１乃至３のいずれか一項に記載の画像形成装置。
【請求項５】
前記ユーザ操作により選択された前記識別子と対応づけて前記画像形成装置に登録された前記所定の設定項目の設定値に基づく処理を前記画像形成装置に実行させる印刷データを生成することを特徴とする請求項１乃至４のいずれか一項に記載のアプリケーション。
【請求項６】
前記ユーザ操作により選択された前記識別子を前記画像形成装置に送信される前記印刷データに含まれる識別子として設定することを特徴とする請求項５に記載のアプリケーション。
【請求項７】
前記印刷データは、前記ユーザ操作により前記識別子が選択されたのち、当該選択が解除されることなく生成された印刷データであることを特徴とする請求項５または６に記載の画像形成装置。
【請求項８】
前記識別子は、複数の設定項目の設定値と対応づけて前記画像形成装置に登録されており、
前記アプリケーションは、前記ユーザ操作により選択された識別子と対応づけて登録された前記複数の設定項目の設定値に従った処理を前記画像形成装置に実行させるための設定を実行することを特徴とする請求項１乃至７のいずれか一項に記載の画像形成装置。
【請求項９】
印刷設定画面を表示するためのアプリケーションであって、前記アプリケーションは情報処理装置にインストールされ、実行されることによって、
所定の設定項目の設定値と対応づけて画像形成装置に登録されたプリセット名称であって、前記画像形成装置から前記情報処理装置が取得した前記プリセット名称を選択可能に表示手段に表示し、かつ、表示した前記プリセット名称を選択するユーザ操作を受けつけ、前記プリセット名称と対応づけて登録された前記所定の設定項目の設定値に基づく処理を前記画像形成装置に実行させる前記印刷データを生成するための設定を実行することを特徴とするアプリケーション。
【請求項１０】
前記所定の設定項目は、前記印刷設定画面で設定することが出来ない設定項目であることを特徴とする請求項９に記載のアプリケーション。
【請求項１１】
印刷設定画面を表示することが可能なアプリケーションで選択可能に表示される識別子を所定の設定項目の設定値と対応づけて登録する登録手段と、
登録した前記識別子を情報処理装置に送信する送信手段と、
前記識別子の送信先となった前記情報処理装置から、前記識別子がユーザ操作により選択された上で生成された印刷データを受信する受信手段と、
受信した前記印刷データに基づき処理を実行する制御手段と、を有し、
前記所定の設定項目は、前記印刷設定画面において値を設定することができる設定項目であり、
前記処理は、前記識別子に対応づけて登録した前記所定の設定項目の設定値に基づく処理であることを特徴とする画像形成装置。
【請求項１２】
前記印刷データは、前記識別子を含むことを特徴とする請求項１１に記載の画像形成装置。
【請求項１３】
前記登録手段は、情報処理装置からネットワークを介して受信した登録指示に基づき、前記識別子を登録することを特徴とする請求項１１または１２に記載の画像形成装置。
【請求項１４】
前記登録手段は、前記印刷設定画面で設定することが出来ない他の所定の設定項目と前記識別子を対応づけて登録し、
前記処理は、前記識別子に対応づけて登録した前記所定の設定項目の設定値と前記
他の所定の設定項目の設定値と、に基づく処理であることを特徴とする請求項１１乃至１３のいずれか一項に記載の画像形成装置。
【請求項１５】
前記制御手段は、前記ユーザ操作により選択された前記識別子に対応づけて登録した前記他の所定の設定項目の設定値を受信した前記印刷データに付加して処理することを特徴とする請求項１４に記載の画像形成装置。
【請求項１６】
前記画像形成装置の能力情報の問い合わせを前記情報処理装置から受信する他の受信手段をさらに有し、
前記送信手段は、前記他の受信手段が受信した前記問い合わせの応答として、登録した前記識別子を前記情報処理装置に送信することを特徴とする請求項１１乃至１５のいずれか一項に記載の画像形成装置。
【請求項１７】
前記印刷データは、ユーザ操作により前記識別子が選択されたのち、当該選択が解除されることなく生成された印刷データであることを特徴とする請求項１１乃至１６のいずれか一項に記載の画像形成装置。
【請求項１８】
画像形成装置の制御方法であって、
印刷設定画面を表示することが可能なアプリケーションで選択可能に表示される識別子を所定の設定項目の設定値と対応づけて登録する登録工程と、
前記登録工程において、登録した前記識別子を情報処理装置に送信する送信工程と、
前記送信工程において前記識別子の送信先となった前記情報処理装置から、前記識別子がユーザ操作により選択された上で生成された印刷データを受信する受信工程と、
前記受信工程において受信した前記印刷データに基づき処理を実行する制御工程と、を有し、
前記所定の設定項目は、前記印刷設定画面において値を設定することができる設定項目であり、
前記処理は、前記識別子に対応づけて登録した前記所定の設定項目の設定値に基づく処理であることを特徴とする画像形成装置の制御方法。
【手続補正２】
【補正対象書類名】明細書
【補正対象項目名】０００７
【補正方法】変更
【補正の内容】
【０００７】
本実施形態に記載のアプリケーションは、所定の設定項目の設定値を設定することのできる印刷設定画面を表示するためのアプリケーションであって、前記アプリケーションは情報処理装置にインストールされ、実行されることによって、前記所定の設定項目の設定値と対応づけて画像形成装置に登録された識別子であって、前記画像形成装置から前記情報処理装置が取得した前記識別子を選択可能に表示手段に表示し、表示した前記識別子を選択するユーザ操作を受けつけ、選択された前記識別子と対応づけて前記画像形成装置に登録された設定値に従った処理を前記画像形成装置に実行させるための設定を行うことを特徴とする。